(57)【要約】【課題】密閉性及び締結強度が高く、組立、取外しがしやすく、実用的な組立窓枠のネジ止め構造の提供。【解決手段】左Ｉ字型枠１、右Ｉ字型枠１‘、上Ｕ字型嵌合枠２’、下Ｕ字型嵌合枠２、Ｔ字型固定片と尖端型ネジからなる固定構造体及び中枠３から構成する。Ｔ字型固定片４のＴ字型ヘッドをＩ字型枠のＵ字型係合溝に係合し、他端を上Ｕ字型嵌合枠の中空係合溝２４に挿入して、尖端型ネジ５を上Ｕ字型嵌合枠を貫通してＴ字型固定片の円錐状斜面を形成する固定孔４１に入れて締結することによりＴ字型固定片のスライド作用により、Ｉ字型枠と上Ｕ字型嵌合枠は強固に締結される、他の部材も同様にして強固に締結される。【選択図】図１
0003119962.tif 000002
【実用新案登録請求の範囲】
【請求項１】
左Ｉ字型枠、右Ｉ字型枠、上Ｕ字型嵌合枠、下Ｕ字型嵌合枠、Ｔ字型固定片、中枠及び尖端型ネジから構成された組立窓枠のネジ止め構造において、
右、右Ｉ字型枠は、断面Ｉ字型であって、その両側にはＵ字型係合溝が形成され、
上、下Ｕ字型嵌合枠は、Ｕ字型接合板とＭ字型嵌合板の二者を相互に嵌合して構成され、それぞれ、Ｕ字型係合溝を形成すると共に、その係合溝底反対側に円弧型強化板及び両壁面に接続する強化板を形成してその間に係合溝を形成し、
また中枠においても同様にＵ字型係合溝と共に中空係合溝を形成してなり、
Ｔ字型固定片のＴ字型ヘッドを右、右Ｉ字型枠の該Ｕ字型係合溝に挿入係合すると共に、その他端を上、下Ｕ字型嵌合枠及び中枠の上記係合溝に挿入し、
該型枠を貫通して尖端型ネジによりＴ字型固定片の円錐状固定孔を挿通して締結することにより、該円錐状斜面に沿ってネジ尖頭が進行することによってＴ字型固定片をスライドさせて強固に締結せしめることを特徴とする、
組立窓枠のネジ止め構造。
【請求項２】
前記中枠は、上記のＵ字型係合溝に三角型挟持脚の基部を嵌合固定してその一対の挟持脚間に壁面となる挟持板を挟み、上下Ｕ字型嵌合枠もまた同じくそのＵ字型係合溝に三角型挟持脚の基部を嵌合固定してその一対の挟持脚の間に壁面となる挟持板を挟んで支持固定することを特徴とする請求項１記載の組立窓枠のネジ止め構造。
【請求項３】
前記左Ｉ字型枠、右Ｉ字型枠は上記のＵ字型係合溝に方形挟持脚の基部を嵌合固定して、その方形挟持脚間に壁面となる挟持板を挟持固定することを特徴とする請求項１記載の組立窓枠のネジ止め構造。
【考案の詳細な説明】
【技術分野】
【０００１】
本考案は、組立窓枠のネジ止め構造に関するもので、特に緊密性の高いネジ止め窓枠の構造である。
【背景技術】
【０００２】
一般の窓枠は、上枠、下枠、左枠、右枠及び中枠から構成され、これらの固定方式はネジで窓枠同士を締結、固定する。
【特許文献１】特許第３４７９６５０号公報
【考案の開示】
【考案が解決しようとする課題】
【０００３】
解決しようとする問題点は、従来の窓枠構造の固定方法による場合、緊密性は低く、作業者によって締め具合も変わる。そのためネジだけの固定方式は緊密性がよくない点である。
【課題を解決するための手段】
【０００４】
本考案は、Ｉ字型枠、右Ｉ字型枠、上Ｕ字型嵌合枠、下Ｕ字型嵌合枠、固定構造体及び中枠から構成される。中枠と左Ｉ字型枠と右Ｉ字型枠を固定構造体で固定する。上下Ｕ字型嵌合枠は構造体が同じで、Ｕ字型接合板とＭ字型嵌合板で嵌合する。両側固定構造体で窓枠四隅を固定することを最も主要な特徴とする。
【考案の効果】
【０００５】
本考案の組立窓枠のネジ止め構造は、緊密性が高く、実用的であるという利点がある。
【考案を実施するための最良の形態】
【０００６】
本考案は、図１に示すとおり、左Ｉ字型枠１、右Ｉ字型枠１´、上Ｕ字型嵌合枠２´下Ｕ字型嵌合枠２、Ｔ字型固定片４、尖端型ネジ５及び中枠３から構成される。そのうち、左Ｉ字型枠１、右Ｉ字型枠１´は、同じ構造からなり、全体を通して断面形状がＩ字型で、その両側にＵ字型係合溝１１、１１´が成形され、そこにＴ字型固定片４が配置される。また、中枠３の構造は、両側が傾斜強化板３１、３１´及びＵ字型係合溝３２、３３に分かれ、断面中央には中空係合溝３４が成形されて、図８に示すとおり、そこにＴ字型固定片４が差し込まれる。また、図２，３，４，５，６，７に示すとおり、左Ｉ字型枠１もしくは右Ｉ字型枠１´と中枠３を相互に組み合わせる。そのＴ字型固定片４のＴ字型ヘッド４２を先ず左Ｉ字型枠１のＵ字型係合溝１１に入れ、Ｔ字型固定片４の他の一端を中枠３の中空係合溝３４内に入れる。
尖端型ネジ５を中枠３の係合溝壁を貫通してその尖端を中枠の固定孔４１に挿入し、ネジを締結して推進してその尖端を該固定孔の円錐状傾斜面に沿って進行させると（図５，６参照）、ネジ尖端の進行に伴ってＴ字型固定片４はスライドし、左右の二片のＴ字型固定片４を介して左、右のＩ字型枠１若しくは１´を中央に向けて引き寄せる。
この締結構造により、図２，４，９に示すとおり、中枠３と左Ｉ字型枠１もしくは右Ｉ字型枠１´は相互にしっかりと締結され、固定される。
また、同様に図３，５，７及び図９に示すとおり、Ｔ字型固定片４の一端のＴ字型ヘッド４２を左又は右Ｉ字型枠１、１´のＵ字型係合溝１１に差し込んで係合し、Ｔ字型固定片４の他端を上Ｕ字型嵌合枠２´と下Ｕ字型枠２両側の係合溝２４に挿入し、尖端型ネジ５を上Ｕ字型嵌合枠２´と下Ｕ字型枠２を貫通してＴ字型固定片４の円錐状斜面と形成する固定孔４１に入れ、上記と同様に締結することにより二片のＴ字型固定片４のスライド作用により、左又は右Ｉ字型枠１、１´は中央に向かってスライドして締結され、上Ｕ字型嵌合枠２´と下Ｕ字型枠２に対して強固に締結されて窓枠の四隅箇所が固定される。
【０００７】
図１及び図９に示すとおり、上Ｕ字型枠２´と下Ｕ字型枠２の締結構造は同じで、そのうち、Ｕ字型接合板２２、２´２と、Ｍ字型嵌合板２１、２´１の二者によって、壁面を構成する挟持板６が嵌合されて支持される。そのうち、下Ｕ字型嵌合枠２のＭ字型嵌合板２１の上方には、Ｕ字型係合溝２３下方に円弧型強化板２１１を形成すると共にその両側にも強化板２１２を設けて、その中央に係合溝２４を成形する。別に、Ｕ字型受板２２の両側底台適所には掛合塊２２１を設けてこれら下Ｕ字型嵌合枠２下部を嵌合する。
その上方に配置される上Ｕ字型嵌合枠もまた同様である。
【０００８】
別に図８，９に示すとおり、中枠３には上下Ｕ字型係合溝３２、３３を配置して三角型挟持脚７，７´の基部を該嵌合溝に嵌合固定し、隔壁となる挟持板６を挟持して支持する（図９参照）。
左Ｉ字型枠１もしくは右Ｉ字型枠１´には、Ｕ字型係合溝１１設けて、方形挟持脚８の基部を該係合溝に掛合固定し、方形挟持脚８間に挟持板６を挟持して支持する。これらの挟持板の支持構造は、下Ｕ字型枠２、上Ｕ字型枠とも共通である。
【図面の簡単な説明】
【０００９】
【図１】本考案の立体分解図である。
【図２】本考案の中枠とＩ字型枠を結合した断面図である。
【図３】本考案の上、下Ｕ字型嵌合枠とＩ字型枠を固定した断面図である。
【図４】本考案の中枠とＩ字型枠を結合する前の断面図である。
【図５】本考案の上、下Ｕ字型嵌合枠とＩ字型枠を固定する前の断面図である。
【図６】本考案の中枠とＩ字型枠を結合した後の断面図である。
【図７】本考案の上、下嵌合枠とＩ字型枠を固定した後の断面図である。
【図８】本考案の挟持板、方形挟持脚、Ｉ字型枠を結合した断面図である。
【図９】本考案の中枠、上下Ｕ字型枠、挟持板及び三角型挟持脚を結合した断面図である。
【符号の説明】
【００１０】
１´      右Ｉ字型枠
１        左Ｉ字型枠
１１        Ｕ字型係合溝
１１´      Ｕ字型係合溝
２´      上Ｕ字型枠
２´１      Ｍ字型接合板
２´２      Ｕ字型接合板
２        下Ｕ字型嵌合枠
２１        Ｍ字型嵌合板
２１１        円弧型強化板
２１２        強化板
２２        Ｕ字型接合板
２３        Ｕ字型接合板
２４        係合溝
３        中枠
３１        傾斜強化板
３１´      傾斜強化板
３２        Ｕ字型係合溝
３３        Ｕ字型係合溝
３４        係合溝
４        Ｔ字型固定片
４１        固定孔
４２        Ｔ字型ヘッド
５        尖端型ネジ
６        挟持板
７        三角型挟持脚
８        方形型挟持脚
【図１】
0003119962.tif 000003
【図２】
0003119962.tif 000004
【図３】
0003119962.tif 000005
【図４】
0003119962.tif 000006
【図５】
0003119962.tif 000007
【図６】
0003119962.tif 000008
【図７】
0003119962.tif 000009
【図８】
0003119962.tif 000010
【図９】
0003119962.tif 000011